(57)【特許請求の範囲】
【請求項１】
扉の回転枢支側とは反対の端部側の凹部に収容される扉用錠前であって、
扉用錠前のケーシング前端部に設けられた開口部から出退自在かつ回動可能に配設され、扉の縦枠に形成されたラッチ係止穴に係止されるラッチと、ラッチをケーシングの開口部から突出する方向に付勢する第１のばねと、ラッチの出退方向と同じ方向に移動自在に配設されるとともに断面略Ｌ字状とされ、一方の辺の前端部でラッチの後部に当接するストッパーと、このストッパーの前記一方の辺からＬ字状に屈曲した辺に当接してこのストッパーをラッチに当接する方向に付勢する第２のばねと、中央部から上下方向に平行かつ逆向きに延出した一対の腕部を備え、一方の腕部が前記ストッパーのＬ字状に屈曲した辺に当接して連動するように係止し中央部に角孔を備えた回動体とからなり、前記回動体の角孔にはレバーハンドルの操作軸を係合可能とし、かつ前記一対の腕部の互いに向き合う面にはプッシュハンドルおよびプルハンドルの操作軸を当接可能としたことを特徴とする扉用錠前。
【発明の詳細な説明】
【技術分野】
【０００１】
本発明は、扉用錠前に関し、より詳細には、室内に設けられる木製の扉に内蔵される扉用錠前の技術に関する。
【背景技術】
【０００２】
従来の扉用錠前としては例えば特許文献１に記載される扉用プッシュプル錠が知られている。扉用プッシュプル錠は、扉の内外に設けられた２つのハンドル操作のよってラッチを解錠するために、ケース内で直動可能に設けられた直動悍と、直動悍の先端に取付けられかつ直動悍を介して突出ラッチ位置へ常時付勢力を受けるとともに、その突出ラッチ位置で扉側のストライク金具に係合して扉を施錠し、開錠操作に従って突出ラッチ位置からケース内へ後退して開錠可能なラッチとを有したラッチ機構と、扉ハンドルのプッシュプル動作に応動してラッチ機構の直動悍を介してラッチの後退を起動する開錠作動機構とを具備する。プッシュプルハンドルのプッシュプル動作に応動してラッチがケース内へ後退してプッシュプル錠が開錠可能とされる。
【先行技術文献】
【特許文献】
【０００３】
【特許文献１】特開２００５−３３６９５８号公報
【発明の概要】
【発明が解決しようとする課題】
【０００４】
ラッチ機構の直動悍を介してラッチの後退を起動する開錠作動機構は、プッシュプルハンドルの動作に応動するものである。木製の扉のハンドルとしてレバーハンドルの需要が高くなっているが、レバーハンドルに変更する場合には扉用錠前をレバーハンドルに対応したものに変更しなければならず、扉用錠前を取り替えない場合にはレバーハンドルを用いることができない。
【０００５】
扉が設置された後においても、たとえばプッシュプルハンドルからレバーハンドルに容易に変更することができれば趣向性を向上させることができる。
本発明の目的は、このような課題を解決するもので、扉用錠前を取り替えることなく扉ハンドルとしてプッシュプルハンドルまたはレバーハンドルを任意に選択して用いることができる扉用錠前を提供することである。
【課題を解決するための手段】
【０００６】
この課題を解決するために本発明は、扉の回転枢支側とは反対の端部側の凹部に収容される扉用錠前であって、扉用錠前のケーシング前端部に設けられた開口部から出退自在かつ回動可能に配設され、扉の縦枠に形成されたラッチ係止穴に係止されるラッチと、ラッチをケーシングの開口部から突出する方向に付勢する第１のばねと、ラッチの出退方向と同じ方向に移動自在に配設されるとともに断面略Ｌ字状とされ、一方の辺の前端部でラッチの後部に当接するストッパーと、このストッパーの前記一方の辺からＬ字状に屈曲した辺に当接してこのストッパーをラッチに当接する方向に付勢する第２のばねと、中央部から上下方向に平行かつ逆向きに延出した一対の腕部を備え、一方の腕部が前記ストッパーのＬ字状に屈曲した辺に当接して連動するように係止し中央部に角孔を備えた回動体とからなり、前記回動体の角孔にはレバーハンドルの操作軸を係合可能とし、かつ前記一対の腕部の互いに向き合う面にはプッシュハンドルおよびプルハンドルの操作軸を当接可能とするものである。
【発明の効果】
【０００７】
請求項１記載の発明によれば、回動体の角孔にはレバーハンドルの操作軸を係合可能とし、かつ前記一対の腕部の互いに向き合う面にはプッシュハンドルおよびプルハンドルの操作軸を当接可能とするので、扉用錠前を取り替えることなく扉ハンドルとしてプッシュプルハンドルまたはレバーハンドルを任意に選択して用いることができる。
【図面の簡単な説明】
【０００８】
【図１】扉２に内蔵された扉用錠前１の縦断面図である。
【図２】蓋板４１を外した扉用錠前１の斜視図である。
【図３】蓋板４１を外した扉用錠前１の斜視図である。
【図４】反転ラッチ９の斜視図である。
【図５】ラッチ受け１５の斜視図である。
【図６】ラッチ押さえ２１の斜視図である。
【図７】ストッパー２６の斜視図である。
【図８】ストッパー２６と反転ラッチ９との嵌合が解除された扉用錠前１の斜視図である。
【図９】ケーシング５を底面側から見た斜視図である。
【図１０】蓋板４１を取付けた扉用錠前１の正面図である。
【図１１】プルハンドル３の斜視図である。
【図１２】プッシュハンドル４の斜視図である。
【図１３】反転ラッチ９の係合凸部１４とストッパー２６の凹部２８とが嵌合された状態の扉用錠前１を断面Ａで切断した断面図である。
【図１４】反転ラッチ９の係合凸部１４とストッパー２６の凹部２８との嵌合が解除された状態の扉用錠前１を断面Ａで切断した断面図である。
【図１５】反転ラッチ９の係合凸部１４とストッパー２６の凹部２８との嵌合が解除された状態の扉用錠前１を断面Ｂで切断した断面図である。
【図１６】反転ラッチ９が傾斜した状態の扉用錠前１を断面Ｂで切断した断面図である。
【図１７】反転ラッチ９がケーシング５の内部後方に後退した状態の扉用錠前１を断面Ａで切断した断面図である。
【図１８】レバーハンドル４６の斜視図である。
【図１９】レバーハンドル４７の斜視図である。
【発明を実施するための形態】
【０００９】
以下、本発明の一実施形態について図１〜図１９に基づいて説明する。図１は、扉に内蔵された扉用錠前１の縦断面図である。図２，図３は、蓋板４１を外した状態の扉用錠前１の斜視図である。室内に設けられる木製の扉２に内蔵される扉用錠前１は、扉２の回転枢支側とは反対側の端部において、扉２の室内側表面および室外側表面に設けられる２つのハンドル３とハンドル４で挟まれケーシング５に内蔵される部分を備える。扉用錠前１のケーシング５は樹脂製であり略長方形の底面６の周縁部が立ち上がった箱状である。ケーシング５の前端部には前端部を覆うように前面プレート部７が形成されており、前面プレート部７に設けられた開口部８には、反転ラッチ９がラッチ受け１５に支持された状態で前面プレート部７の前方から嵌め込まれる。
【００１０】
図４は反転ラッチ９の斜視図であり、図５はラッチ受け１５の斜視図である。金属製の反転ラッチ９は、背面１１と傾斜面１２とを備えたラッチ部１３と、ラッチ部１３の両側に形成されストッパー２６と係合するブロック状の係合凸部１４とを備え、係合凸部１４の外側にはさらにラッチ受け１５の溝部１６に嵌入する円筒状の係合部１７が両側に各２箇所設けられる。
【００１１】
ラッチ受け１５は、前方に位置する底面部１８と底面部１８の両端から後方に立ち上がった側面部１９とを備え断面が略コの字状である。底面部１８には反転ラッチ９のラッチ部１３が挿通される挿通口２０が形成され、各側面部１９の内側には反転ラッチ９の係合部１７が嵌入される溝部１６が２箇所形成される。反転ラッチ９は、ラッチ部１３がラッチ受け１５の挿通口２０に挿通され、係合部１７が溝部１６に嵌入された状態でラッチ受け１５に支持される。
【００１２】
図６は、ラッチ押さえ２１の斜視図である。ラッチ受け１５に支持された反転ラッチ９の後方には、樹脂製のラッチ押さえ２１が設置される。ラッチ押さえ２１は、後述の連結バー２３を介してコイルばね２４で付勢されて反転ラッチ９に当接した状態で設置される。ラッチ押さえ２１は、断面が円弧状の凸部２５の両側肩部６０が反転ラッチ９の後部外周面１０に圧接して、反転ラッチ９の係合部１７がラッチ受け１５の底面部１８に当接した状態で設置される。ラッチ押さえ２１の後部に形成された嵌合孔２２（図１参照）には金属製で略円筒形の連結バー２３がコイルばね２４で付勢された状態で嵌め込まれる。ラッチ押さえ２１の肩部６０が当接する反転ラッチ９の後部外周面１０は略円弧状に形成されており、反転ラッチ９のラッチ部１３背面１１に力が加えられて反転ラッチ９が回動傾斜した状態から背面１１に加えられる力が解除されると、反転ラッチ９はコイルばね２４のばね力によって反対方向に回動して、背面１１に力が加えられていない初期の状態に復帰する。
【００１３】
図７は、ストッパー２６の斜視図である。ラッチ押さえ２１の上方には、樹脂製で断面が略Ｌ字状のストッパー２６が設けられる。ストッパー２６は、Ｌ字の長辺２７前端部に反転ラッチ９の係合凸部１４に嵌合する凹部２８が形成されており、Ｌ字の短辺２９に当接するコイルばね３０によって付勢される。なお短辺２９には、連結バー２３との接触を避けるための逃がし孔６１が設けられる。
【００１４】
ストッパー２６の下方には金属製の回動体３１が設置される。回動体３１は、回転軸心を有する円筒部３２と、円筒部３２の端部から平行に互いに上下逆方向に伸延した上腕部３３と下腕部３４とを有する。回動体３１の回転軸心には断面が正方形の貫通孔３５が形成されており、貫通孔３５には後述するレバーハンドル４６の回動バー４８が挿通される（図１８参照）。
【００１５】
図８は、ストッパー２６と反転ラッチ９との嵌合が解除された扉用錠前１の斜視図である。回動バー４８が貫通孔３５に挿通されたレバーハンドル４６，４７が回動された場合、あるいは図１１，１２に示すプッシュプルハンドル３，４が操作されてプルハンドル３の作動軸３６が上腕部３３に当接しあるいはプッシュハンドル４の作動軸３７が下腕部３４に当接して回動体３１が回動された場合には、上腕部３３がストッパー２６の短辺２９前面３８に当接し、コイルばね３０のばね力に抗してストッパー２６を後方に押圧する。ストッパー２６が後方に移動すると、ストッパー２６の凹部２８と反転ラッチ９の係合凸部１４との嵌合が解除される。なお回動体３１の上腕部３３端部には、回動体３１の上方に配置された連結バー２３が接触することを防止するために逃がし溝３９が形成される。
【００１６】
図９は、ケーシング５を底面側から見た斜視図であり、図１０は、蓋板４１を取付けた扉用錠前１の正面図である。円筒部３２の両端面には段付き部４０が設けられており、段付き部４０がケーシング底面６および後述する蓋板４１に形成された丸孔４４，４５に嵌め込まれ回動体３１が回転自在に支持される。
【００１７】
蓋板４１は、前方端面に設けられた嵌合凸部４２が、ケーシング５の前面プレート部７に形成された係合溝４３に嵌め込まれた状態でケーシング５に４箇所ねじ止めされ固定される。さらに前面プレート部７にフロントプレート５９が装着された状態で扉２にビス止めされる。
【００１８】
ここでプッシュプルハンドル３，４を用いた扉用錠前１の動作について説明する。図１１はプルハンドル３の斜視図であり、図１２はプッシュハンドル４の斜視図である。プッシュプルハンドル３，４が用いられる場合の一方のハンドルはプルハンドル３であり、他方はプッシュハンドル４である。プルハンドル３，プッシュハンドル４は、ともに把手部から垂直方向に突出した作動軸３６，３７を備えており、プルハンドル３の作動軸３６は回動体３１の軸心の上方に設置され、プッシュハンドル４の作動軸３７は回動体３１の軸心の下方に設置される。プルハンドル３の作動軸３６とプッシュハンドル４の作動軸３７とは回動体３１の軸心から上下方向に概ね等しい距離に配置され、プルハンドル３の把手部を引くと作動軸３６が扉２の回転枢支側に傾き上腕部３３を後方に押圧し、プッシュハンドル４の把手部を押すと作動軸３７が扉２の回転枢支側とは反対側に傾き下腕部３４を前方に押圧する。
【００１９】
図１３は、反転ラッチ９の係合凸部１４とストッパー２６の凹部２８とが嵌合された状態の扉用錠前１を断面Ａで切断した断面図である。図１４は、反転ラッチ９の係合凸部１４とストッパー２６の凹部２８との嵌合が解除された状態の扉用錠前１を断面Ａで切断した断面図である。図１３に示すように反転ラッチ９の係合凸部１４がストッパー２６の凹部２８に嵌合した状態から、プッシュプルハンドル３，４の操作によって回動体３１が回動し、回動体３１の上腕部３３の端部がストッパー２６の短辺２９前面３８に当接しコイルばね３０のばね力に抗してストッパー２６を後方に移動させる。そうすると、図１４に示すように反転ラッチ９の係合凸部１４とストッパー２６の凹部２８との嵌合が解除される。図１５は、反転ラッチ９の係合凸部１４とストッパー２６の凹部２８との嵌合が解除された状態の扉用錠前１を図１０に示す断面Ｂで切断した断面図である。ストッパー２６が解除された反転ラッチ９のラッチ部１３背面１１が力を受けると反転ラッチ９が矢印の方向に回動し背面１１が傾斜する。図１６は、反転ラッチ９が傾斜した状態の扉用錠前１を断面Ｂで切断した断面図である。傾斜した反転ラッチ９の背面１１がさらに力を受けると反転ラッチ９はコイルばね２４の力に抗してラッチ押さえ２１と連結バー２３とともにケーシング５の内部後方に後退する。図１７は、反転ラッチ９がケーシング５の内部後方に後退した状態の扉用錠前１を断面Ｂで切断した断面図である。扉２が開けられて背面１１に加わる力が解除されると、ケーシング５の内部に後退した反転ラッチ９はコイルばね２４に付勢されたラッチ押さえ２１に押されてフロントプレート５９から突出するとともに、回動して背面１１が略水平方向に向いた初期の状態（図１５参照）に復帰する。
【００２０】
扉２を閉めるときには、ラッチ部１３の傾斜面１２に力が加えられ、反転ラッチ９は、ラッチ押さえ２１を付勢するコイルばね２４とストッパー２６を付勢するコイルばね３０との双方のばね力に抗して、ラッチ押さえ２１と連結バー２３とストッパー２６とともにケーシング５内部に後退する。扉２が完全に閉められるとラッチ部１３の傾斜面１２に加えられる力が解除されるので、反転ラッチ９はコイルばね２４，３０のばね力によってフロントプレート５９から突出する。プッシュプルハンドル３，４を用いた場合には、このようにして扉の開閉が行われる。
【００２１】
つぎにレバーハンドル４６，４７を用いた扉用錠前１の動作について説明するが、プッシュプルハンドル３，４を用いた扉用錠前１の動作と重複する部分については説明を省略する。図１８は、レバーハンドル４６の斜視図であり、図１９は、レバーハンドル４７の斜視図である。一方のハンドル４６の回転軸心には断面が正方形の回動バー４８が設けられ、他方のハンドル４７の回転軸心には回動バー４８が嵌入される孔部が形成される。２つのレバーハンドル４６，４７は、レバーハンドル４６の回動バー４８が回動体３１の軸心に形成された貫通孔３５に挿通され、さらに他方のハンドル４７の孔部４９に嵌合された状態で、扉２の室内側表面および室外側表面に設置される。室内側表面および室外側表面に設置されるレバーハンドル４６，４７は、各々ハンドル５０，５１を下げた状態で回動体３１の上腕部３３がストッパー２６の短辺２９前面３８に当接しコイルばね３０のばね力に抗してストッパー２６を後方に移動させる。
【００２２】
なお、図４，図５に示すように反転ラッチ９とラッチ受け１５との形状は水平面を基準として対称であるので、反転ラッチ９が係合したラッチ受け１５を上下逆向きにしてケーシング５に装着することが可能である。反転ラッチ９が係合したラッチ受け１５の取付け方向を逆にすることによって、左勝手の扉２と右勝手の扉２との両方に容易に対応することができる。
【００２３】
ラッチ押さえ２１およびストッパー２６の水平方向両側面には摺動凸部５２，５３が形成されており、ラッチ押さえ２１およびストッパー２６は、摺動凸部５２，５３がケーシング５の底面６および蓋板４１に設けられた案内溝５４，５５，５６，５７に係合した状態で滑らかに水平方向に移動可能とされる。またケーシング５の底面６には連結バー２３を支持する支持部５８が設けられており、連結バー２３は水平方向に滑らかに移動可能とされる。さらに、ケーシング５の底面６および蓋板４１には、プルハンドル３とプッシュハンドル４との作動軸３６，３７の逃がし孔、およびレバーハンドル４６，４７が用いられる場合に２つのレバーハンドル４６，４７を連結するボルトの逃がし孔が設けられるが、詳細な説明は省略する。
【００２４】
このように、扉２の回転枢支側とは反対の端部側の凹部に収容される扉用錠前１であって、扉用錠前１のケーシング５前端部に設けられた開口部８から突出して扉２の縦枠に形成されたラッチ係止穴に係止される反転ラッチ９と、反転ラッチ９をケーシング５の開口部８から突出する方向に付勢するコイルばね２４と、反転ラッチ９の後部に当接するストッパー２６と、このストッパー２６を反転ラッチ９に当接する方向に付勢するコイルばね３０と、中央部から平行かつ逆向きに延出した一対の上腕部３３，下腕部３４を備え、一方の上腕部３３がストッパー２６に連動するように係止し中央部に貫通孔３５を備えた回動体３１とからなり、回動体３１の貫通孔３５にはレバーハンドル４６，４７の回動バー４８を係合可能とし、あるいは一対の上腕部３３，下腕部３４の互いに向き合う面にはプッシュハンドル４およびプルハンドル３の操作軸３６，３７を当接可能とするので、扉用錠前１を取り替えることなく扉ハンドルとしてプッシュ・プルハンドル３，４またはレバーハンドル４６，４７を任意に選択して用いることができる。
【符号の説明】
【００２５】
１    扉用錠前
２    扉
３    プルハンドル
４    プッシュハンドル
５    ケーシング
６    底部
７    前面プレート部
８    開口部  
９    反転ラッチ
１０    外周面
１１    背面
１２    傾斜面
１３    ラッチ部
１４    係合凸部
１５    ラッチ受け
１６    溝部
１７    係合部
１８    底面部
１９    側面部
２０    係合
２１    ラッチ押さえ
２２    嵌合孔
２３    連結バー
２４，３０    コイルばね
２５    当接面
２６    ストッパー
２７    長辺
２８    凹部
２９    短辺
３１    回動体
３２    円筒部
３３    上腕部
３４    下腕部
３５    貫通孔
３６，３７    作動軸
３８    前面
３９    逃がし溝
４０    段付き部
４１    蓋板
４２    嵌合凸部
４３    係合溝
４４，４５    丸孔
４６，４７    レバーハンドル
４８    回動バー
４９    孔部
５０，５１    ハンドル
５２，５３    摺動凸部
５４，５５，５６，５７    案内溝
５８    支持部
５９    フロントプレート
６０    肩部
６１    逃がし孔
【図１】
0005610859.tif 000002
【図２】
0005610859.tif 000003
【図３】
0005610859.tif 000004
【図４】
0005610859.tif 000005
【図５】
0005610859.tif 000006
【図６】
0005610859.tif 000007
【図７】
0005610859.tif 000008
【図８】
0005610859.tif 000009
【図９】
0005610859.tif 000010
【図１０】
0005610859.tif 000011
【図１１】
0005610859.tif 000012
【図１２】
0005610859.tif 000013
【図１３】
0005610859.tif 000014
【図１４】
0005610859.tif 000015
【図１５】
0005610859.tif 000016
【図１６】
0005610859.tif 000017
【図１７】
0005610859.tif 000018
【図１８】
0005610859.tif 000019
【図１９】
0005610859.tif 000020